(57)【要約】【課題】第１及び第２のランプ保持部材を取付ける取付手段の違いを認識することができ、第１及び第２のランプ保持部材を間違えることなく取付けることができるランプ収納装置、バックライト装置を提供する。【解決手段】複数本のランプ２を並置して収納し、該ランプ２の中間部を保持する保持部を複数有する第１のランプ保持部材、及び該第１のランプ保持部材の保持部と異なる数の保持部を有する第２のランプ保持部材を取付ける第１及び第２の取付孔１３，１４と、第１及び第２のランプ保持部材の取付けるべき位置を識別するための識別手段とを備える構成とした。【選択図】図１
2008066285.tif 000002
【特許請求の範囲】
【請求項１】
複数本のランプを並置して収納し、該ランプの中間部を保持する保持部を複数有する第１のランプ保持部材、及び該第１のランプ保持部材の保持部と異なる数の保持部を有する第２のランプ保持部材を取付ける取付手段と、第１及び第２のランプ保持部材の取付けるべき位置を識別するための識別手段とを備えることを特徴とするランプ収納装置。
【請求項２】
前記取付手段は前記ランプと対向する面に開設してある第１及び第２の取付孔であり、前記識別手段は前記第１及び第２の取付孔である請求項１に記載のランプ収納装置。
【請求項３】
前記第１及び第２の取付孔は互いに異なる形状である請求項２に記載のランプ収納装置。
【請求項４】
前記第１及び第２の取付孔の一方は丸形をなし、他方は四角形をなしている請求項３に記載のランプ収納装置。
【請求項５】
前記第１及び第２の取付孔は前記ランプが並置される方向に離隔して互いに同数づつ並べて開設してある請求項３又は４に記載のランプ収納装置。
【請求項６】
前記第１及び第２の取付孔はランプの長さ方向に対して異なる位置に開設してある請求項３乃至５のいずれか一つに記載のランプ収納装置。
【請求項７】
前記第１及び第２の取付孔は互いに異なる数で開設してあり、第１及び第２の取付孔の一方は、隣のランプを保持する他方の取付孔に対しランプの長さ方向において異なる位置に開設してある請求項２に記載のランプ収納装置。
【請求項８】
前記第１のランプ保持部材を取付ける取付孔は、該第１のランプ保持部材の有する保持部の数と同数又は超えない複数である請求項７に記載のランプ収納装置。
【請求項９】
前記第１のランプ保持部材を取付ける取付孔は、ランプが並置される方向に複数開設してある請求項８に記載のランプ収納装置。
【請求項１０】
前記第２のランプ保持部材を取付ける取付孔は一つである請求項７乃至９のいずれか一つに記載のランプ収納装置。
【請求項１１】
並置される複数本のランプと、該ランプの中間部を保持する保持部を複数有する第１のランプ保持部材、及び該第１のランプ保持部材の保持部と異なる数の保持部を有する第２のランプ保持部材と、請求項２乃至１０のいずれか一つに記載のランプ収納装置とを備え、前記複数本のランプは、前記第１及び第２のランプ保持部材によって保持されることによりランプが並置される方向に対し徐々に異なる間隔で並置してあることを特徴とするバックライト装置。
【請求項１２】
並置される複数本のランプと、該ランプの中間部を保持する保持部を複数有する第１のランプ保持部材、及び該第１のランプ保持部材の保持部と異なる数の保持部を有する第２のランプ保持部材と、請求項２乃至１０のいずれか一つに記載のランプ収納装置とを備え、前記複数本のランプのうち中央部付近に位置するランプの間隔は、並置される方向の端又は周辺部に位置するランプの間隔に比べて狭いことを特徴とするバックライト装置。
【請求項１３】
並置される複数本のランプと、該ランプの中間部を保持する保持部を複数有する第１のランプ保持部材、及び該第１のランプ保持部材の保持部と異なる数の保持部を有する第２のランプ保持部材と、請求項２乃至１０のいずれか一つに記載のランプ収納装置とを備え、前記複数本のランプのうち並置される方向の両端又は両周辺部に位置するランプの間隔は、中央部付近に位置するランプの間隔に比べて広いことを特徴とするバックライト装置。
【請求項１４】
前記第１及び第２のランプ保持部材は互いに同一の色又は素材で形成されてなる請求項１１乃至１３のいずれか一つに記載のバックライト装置。
【発明の詳細な説明】
【技術分野】
【０００１】
本発明は複数本のランプを並置して収納するランプ収納装置及び該ランプ収納装置を備えるバックライト装置に関する。
【背景技術】
【０００２】
テレビジョン等の表示装置は、画像を表示する表示面を前側に有する表示部の後側にバックライト装置が配置されており、また、バックライト装置は複数本のランプを並置して収納するランプ収納装置を備える。
【０００３】
バックライト装置は、前側が開放されている収納部材と、該収納部材内に異なる間隔で上下に並置される複数本のランプと、該ランプの両端部を前記収納部材の内側に保持する端部保持具とを備える（例えば、特許文献１参照）。前記ランプは上下方向中央部に位置するランプの間隔を狭くし、上側及び下側のランプの間隔を広くすることにより、前記表示面の中央部におけるランプ輝度を最も高くし、前記表示面の上下端に向かうにしたがってランプ輝度を徐々に低下させ、ランプの本数を低減することができるように構成されている。
【０００４】
テレビジョン等の表示装置は大型化する傾向にあり、表示装置の大型化に伴ってバックライト装置のランプも長尺になるため、ランプの長さ方向中央部を保持するランプ保持部材を用い、該ランプ保持部材を収納部材に取付けることによりランプを保護するとともに、ランプの並置精度を維持することができるように構成されたバックライト装置が知られている（例えば、特許文献２参照）。前記ランプ保持部材は隣合う２本のランプの中間部を保持する二つの第１保持部及び前記収納部材に取付けられる第１取付部を有する第１ランプ保持部材と、１本のランプの中間部を保持する第２保持部及び前記収納部材に取付けられる第２取付部を有する第２ランプ保持部材とを備え、前記第１取付部に対応する第１取付孔及び前記第２取付部に対応する第２取付孔が前記収納部材に開設してある。
【０００５】
ところで、特許文献１のバックライト装置において、特許文献２に記載されているランプ保持部材を用いてランプの中央部を保持する場合、次の三つの方法が考えられる。
(1) 第２ランプ保持部材をランプの並置方向に対して千鳥足状に配置する。
(2) 二つの第１保持部間の距離が異なる複数種類の第１ランプ保持部材をランプの並置方向に対して千鳥足状に配置する。
(3) 第１ランプ保持部材と第２ランプ保持部材とを併用する。
【特許文献１】特開平６−７５２１６号公報
【特許文献２】特開２００１−２１０１２６号公報
【発明の開示】
【発明が解決しようとする課題】
【０００６】
しかしながら、上記(1) の場合、一度に２本以上のランプを保持することができないため、ランプの本数に対する第２ランプ保持部材の個数が増加しランプ保持部材の組込作業性が悪くなるという問題がある。
また、上記(2) の場合、ランプの並置間隔に対応する複数種類の第１ランプ保持部材ごとに成形型が必要であり、成形型の償却を含むランプ保持部材の製造コスト、ひいてはバックライト装置のコストが増加するという問題がある。
また、上記(3) の場合、(1) 及び(2) の問題点を緩和させることができる。しかし、第１ランプ保持部材と第２ランプ保持部材とを収納部材の所定位置に取付けるとき、第１ランプ保持部材と第２ランプ保持部材とを間違えて取付ける可能性がある。
【０００７】
本発明は斯かる事情に鑑みてなされたものであり、主たる目的は並置して収納される複数本のランプの中間部を保持する第１及び第２のランプ保持部材を取付ける取付手段と、第１及び第２のランプ保持部材の取付けるべき位置を識別するための識別手段とを備えることにより、第１及び第２のランプ保持部材を取付ける取付手段の違いを認識することができるランプ収納装置を提供することにある。
【０００８】
また、他の目的は第１及び第２のランプ保持部材を取付ける取付手段を第１及び第２の取付孔とし、識別手段を前記第１及び第２の取付孔とすることにより、第１及び第２のランプ保持部材を間違えることなく取付けることができるランプ収納装置を提供することにある。
【０００９】
また、他の目的は第１及び第２の取付孔を互いに異なる形状とすることにより、第１及び第２のランプ保持部材を間違えることなく取付けることができるランプ収納装置を提供することにある。
【００１０】
また、他の目的は第１及び第２の取付孔の一方を丸形とし、他方を四角形とすることにより、第１及び第２のランプ保持部材を間違えることなく取付けることができるランプ収納装置を提供することにある。
【００１１】
また、他の目的は第１及び第２の取付孔を、ランプが並置される方向に離隔して互いに同数づつ並べて開設することにより、第１及び第２のランプ保持部材の取付孔への取付作業性を高めることができるランプ収納装置を提供することにある。
【００１２】
また、他の目的は第１及び第２の取付孔をランプの長さ方向に対して異なる位置に開設することにより、識別手段と相俟って第１及び第２の取付孔の違いを容易に認識することができるランプ収納装置を提供することにある。
【００１３】
また、他の目的は第１及び第２の取付孔を互いに異なる数で開設し、第１及び第２の取付孔の一方を、隣のランプを保持する他方の取付孔に対しランプの長さ方向において異なる位置に開設することにより、第１及び第２の取付孔が隣合う位置で第１及び第２の取付孔の違いを容易に認識することができるランプ収納装置を提供することにある。
【００１４】
また、他の目的は第１のランプ保持部材を取付ける取付孔を、第１のランプ保持部材の有する保持部の数と同数又は超えない複数とすることにより、第１及び第２のランプ保持部材を間違えることなく取付けることができるランプ収納装置を提供することにある。
【００１５】
また、他の目的は第１のランプ保持部材を取付ける取付孔を、ランプが並置される方向に複数開設してある構成とすることにより、第１及び第２のランプ保持部材の取付孔への取付作業性を高めることができるランプ収納装置を提供することにある。
【００１６】
また、他の目的は前記第２のランプ保持部材を取付ける取付孔を一つとすることにより、取付孔の数を認識することにより第１の取付孔と第２の取付孔とを区別することができるランプ収納装置を提供することにある。
【００１７】
また、他の目的は前記第１及び第２の取付孔を備えるランプ収納装置を用いることにより、複数本のランプを、ランプが並置される方向に対し徐々に異なる間隔で並置してなるバックライト装置の第１及び第２のランプ保持部材を間違えることなく取付けることができるバックライト装置を提供することにある。
【００１８】
また、他の目的は前記第１及び第２の取付孔を備えるランプ収納装置を用いることにより、複数本のランプのうち中央部付近に位置するランプの間隔を、並置される方向の端又は周辺部に位置するランプの間隔に比べて狭くしてなるバックライト装置の第１及び第２のランプ保持部材を間違えることなく取付けることができるバックライト装置を提供することにある。
【００１９】
また、他の目的は前記第１及び第２の取付孔を備えるランプ収納装置を用いることにより、複数本のランプのうち並置される方向の両端又は両周辺部に位置するランプの間隔を、中央部付近に位置するランプの間隔に比べて広くしてなるバックライト装置の第１及び第２のランプ保持部材を間違えることなく取付けることができるバックライト装置を提供することにある。
【００２０】
また、他の目的は第１及び第２のランプ保持部材を互いに同一の色又は素材で形成されてなる構成とすることにより、第１及び第２のランプ保持部材の形態を変えることなく第１及び第２のランプ保持部材を区別することができるバックライト装置を提供することにある。
【課題を解決するための手段】
【００２１】
本発明に係るランプ収納装置は、複数本のランプを並置して収納し、該ランプの中間部を保持する保持部を複数有する第１のランプ保持部材、及び該第１のランプ保持部材の保持部と異なる数の保持部を有する第２のランプ保持部材を取付ける取付手段と、第１及び第２のランプ保持部材の取付けるべき位置を識別するための識別手段とを備えることを特徴とする。
【００２２】
この発明にあっては、識別手段を目視することにより、第１及び第２のランプ保持部材を取付ける取付手段の違いを認識することができるため、第１及び第２のランプ保持部材を間違えることなく取付けることができる。
【００２３】
また、本発明に係るランプ収納装置は、前記取付手段は前記ランプと対向する面に開設してある第１及び第２の取付孔であり、前記識別手段は前記第１及び第２の取付孔であることを特徴とする。
【００２４】
この発明にあっては、ランプと対向する面に開設してある第１及び第２の取付孔を目視することにより、第１及び第２のランプ保持部材を取付ける取付孔の違いを認識することができるため、第１及び第２のランプ保持部材を間違えることなく取付けることができる。
【００２５】
また、本発明に係るランプ収納装置は、前記第１及び第２の取付孔は互いに異なる形状であることを特徴とする。
【００２６】
この発明にあっては、第１の取付孔、第２の取付孔を目視することにより、一の孔形状が第１の取付孔であり、他の孔形状が第２の取付孔であることを認識することができるため、第１及び第２のランプ保持部材を間違えることなく取付けることができる。
【００２７】
また、本発明に係るランプ収納装置は、前記第１及び第２の取付孔の一方は丸形をなし、他方は四角形をなしていることを特徴とする。
【００２８】
この発明にあっては、第１の取付孔、第２の取付孔を目視することにより、一の孔形状が第１の取付孔であり、他の孔形状が第２の取付孔であることを認識することができるため、第１及び第２のランプ保持部材を間違えることなく取付けることができる。
【００２９】
また、本発明に係るランプ収納装置は、前記第１及び第２の取付孔は前記ランプが並置される方向に離隔して互いに同数づつ並べて開設してあることを特徴とする。
【００３０】
この発明にあっては、第１及び第２のランプ保持部材の取付孔への取付作業性を高めることができる。
【００３１】
また、本発明に係るランプ収納装置は、前記第１及び第２の取付孔はランプの長さ方向に対して異なる位置に開設してあることを特徴とする。
【００３２】
この発明にあっては、ランプの長さ方向の位置で第１及び第２の取付孔の位置が異なるため、識別手段と相俟って第１及び第２の取付孔の違いを容易に認識することができ、第１及び第２のランプ保持部材を間違えることなく取付けることができる。
【００３３】
また、本発明に係るランプ収納装置は、前記第１及び第２の取付孔は互いに異なる数で開設してあり、第１及び第２の取付孔の一方は、隣のランプを保持する他方の取付孔に対しランプの長さ方向において異なる位置に開設してあることを特徴とする。
【００３４】
この発明にあっては、第１の取付孔と第２の取付孔とが隣合う位置で第１及び第２の取付孔がランプの長さ方向へ離隔しているため、第１及び第２の取付孔が隣合う位置で第１及び第２の取付孔の違いを容易に認識することができ、第１及び第２のランプ保持部材を間違えることなく取付けることができる。
【００３５】
また、本発明に係るランプ収納装置は、前記第１のランプ保持部材を取付ける取付孔は、該第１のランプ保持部材の有する保持部の数と同数又は超えない複数であることを特徴とする。
【００３６】
この発明にあっては、保持部の数に対応して第１のランプ保持部材が取付けられる取付孔を認識することができるため、第１及び第２のランプ保持部材を間違えることなく取付けることができる。
【００３７】
また、本発明に係るランプ収納装置は、前記第１のランプ保持部材を取付ける取付孔は、ランプが並置される方向に複数開設してあることを特徴とする。
【００３８】
この発明にあっては、第１のランプ保持部材の取付孔への取付作業性を高めることができる。
【００３９】
また、本発明に係るランプ収納装置は、前記第２のランプ保持部材を取付ける取付孔は一つであることを特徴とする。
【００４０】
この発明にあっては、取付孔の数を認識することにより第１の取付孔と第２の取付孔とを区別することができるため、第１及のランプ保持部材の取付孔への取付作業性を高めることができる。
【００４１】
また、本発明に係るバックライト装置は、並置される複数本のランプと、該ランプの中間部を保持する保持部を複数有する第１のランプ保持部材、及び該第１のランプ保持部材の保持部と異なる数の保持部を有する第２のランプ保持部材と、前述の発明のランプ収納装置とを備え、前記複数本のランプは、前記第１及び第２のランプ保持部材によって保持されることによりランプが並置される方向に対し徐々に異なる間隔で並置してあることを特徴とする。
【００４２】
この発明にあっては、第１及び第２の取付孔の違いを認識することができるため、第１及び第２のランプ保持部材を間違えることなく取付けることができ、ランプ保持部材の取付作業性を向上できる。
【００４３】
また、本発明に係るバックライト装置は、並置される複数本のランプと、該ランプの中間部を保持する保持部を複数有する第１のランプ保持部材、及び該第１のランプ保持部材の保持部と異なる数の保持部を有する第２のランプ保持部材と、前述の発明のランプ収納装置とを備え、前記複数本のランプのうち中央部付近に位置するランプの間隔は、並置される方向の端又は周辺部に位置するランプの間隔に比べて狭いことを特徴とする。
【００４４】
この発明にあっては、第１及び第２の取付孔の違いを認識することができるため、第１及び第２のランプ保持部材を間違えることなく取付けることができ、ランプ保持部材の取付作業性を向上できる。
【００４５】
また、本発明に係るバックライト装置は、並置される複数本のランプと、該ランプの中間部を保持する保持部を複数有する第１のランプ保持部材、及び該第１のランプ保持部材の保持部と異なる数の保持部を有する第２のランプ保持部材と、前述の発明のランプ収納装置とを備え、前記複数本のランプのうち並置される方向の両端又は両周辺部に位置するランプの間隔は、中央部付近に位置するランプの間隔に比べて広いことを特徴とする。
【００４６】
この発明にあっては、第１及び第２の取付孔の違いを認識することができるため、第１及び第２のランプ保持部材を間違えることなく取付けることができ、ランプ保持部材の取付作業性を向上できる。
【００４７】
また、本発明に係るバックライト装置は、前記第１及び第２のランプ保持部材は互いに同一の色又は素材で形成されてなることを特徴とする。
【００４８】
この発明にあっては、第１及び第２のランプ保持部材の形態を変えることなく第１及び第２のランプ保持部材を区別することができ、第１及び第２のランプ保持部材を間違えることなく取付けることができる。
【発明の効果】
【００４９】
以上詳述したように本発明によれば、識別手段を目視することにより、第１及び第２のランプ保持部材を取付ける取付手段の違いを認識することができ、第１及び第２のランプ保持部材を間違えることなく取付けることができる。
【００５０】
また、本発明によれば、ランプと対向する面に開設してある第１及び第２の取付孔を目視することにより、第１及び第２のランプ保持部材を取付ける取付孔の違いを認識することができ、第１及び第２のランプ保持部材を間違えることなく取付けることができる。
【００５１】
また、本発明によれば、第１の取付孔、第２の取付孔を目視することにより、取付孔の形状の違いを認識することができ、第１及び第２のランプ保持部材を間違えることなく取付けることができる。
【００５２】
また、本発明によれば、第１の取付孔、第２の取付孔を目視することにより、第１の取付孔及び第２の取付孔を認識することができ、第１及び第２のランプ保持部材を間違えることなく取付けることができる。
【００５３】
また、本発明によれば、第１及び第２の取付孔は前記ランプが並置される方向に離隔して互いに同数づつ並べて開設してあるため、第１及び第２のランプ保持部材の取付孔への取付作業性を高めることができる。
【００５４】
また、本発明によれば、ランプの長さ方向の位置で第１及び第２の取付孔の位置が異なるため、識別手段と相俟って第１及び第２の取付孔の違いを容易に認識することができ、第１及び第２のランプ保持部材を間違えることなく取付けることができる。
【００５５】
また、本発明によれば、第１の取付孔と第２の取付孔とが隣合う位置で第１及び第２の取付孔がランプの長さ方向へ離隔しているため、第１及び第２の取付孔が隣合う位置で第１及び第２の取付孔の違いを容易に認識することができ、第１及び第２のランプ保持部材を間違えることなく取付けることができる。
【００５６】
また、本発明によれば、保持部の数に対応して第１のランプ保持部材が取付けられる取付孔を認識することができ、第１及び第２のランプ保持部材を間違えることなく取付けることができる。
【００５７】
また、本発明によれば、第１のランプ保持部材を取付ける取付孔は、ランプが並置される方向に複数開設されているため、第１のランプ保持部材の取付孔への取付作業性を高めることができる。
【００５８】
また、本発明によれば、取付孔の数を認識することにより第１の取付孔と第２の取付孔とを区別することができ、第１及び第２のランプ保持部材の取付孔への取付作業性を高めることができる。
【００５９】
また、本発明によれば、第１及び第２の取付孔の違いを認識することができ、第１及び第２のランプ保持部材を間違えることなく取付けることができ、ランプ保持部材の取付作業性を向上できる。
【００６０】
また、本発明によれば、第１及び第２のランプ保持部材の形態を変えることなく第１及び第２のランプ保持部材を区別することができ、第１及び第２のランプ保持部材を間違えることなく取付けることができる。
【発明を実施するための最良の形態】
【００６１】
以下本発明をその実施の形態を示す図面に基づいて詳述する。
実施の形態１
図１は本発明に係るランプ収納装置を備えるバックライト装置の構成を示す正面図、図２は要部を拡大した正面図、図３はランプ保持部材と取付孔との関係を示す模式図、図４は第１ランプ保持部材の取付部の拡大断面図、図５は第２ランプ保持部材の取付部の拡大断面図である。
【００６２】
実施の形態１のバックライト装置は、直方体をなす枠部１１及び周縁部が枠部１１に結合され、該枠部１１の後側端を閉鎖する後壁１２を有し、前側が開放されている箱形をなす収納部材１と、該収納部材１内に上下に異なる間隔で並置される円筒形をなす複数本のランプ２と、該ランプ２の両端部を枠部１１の内側に保持する端部保持具と、並置方向中央部付近に位置するランプ２の長さ方向中央部を前記後壁１２に保持する複数の第１のランプ保持部材３と、並置方向上下端又は上下の周辺部に位置するランプ２の長さ方向中央部を前記後壁１２に保持する複数の第２のランプ保持部材４とを備え、収納部材１の内面部は、ランプ２が発光した光を収納部材１の開放部側に反射させるべき反射面になっている。
【００６３】
ランプ２は並置方向中央部付近に位置するランプの間隔が最狭となり、上下端へ至るにしたがってランプの間隔が順次広くなるように並置されており、この並置間隔を前記端部保持具が維持するように構成されている。例えば、図１〜３においては、並置方向中央の間隔Ａ＝２７．０mm、上側及び下側へ至るにしたがって間隔Ｂ＝２８．０mm、Ｃ＝２９．０mm、Ｄ＝３０．０mmの間隔で並置されている。また、ランプ２は両端部に電極を有する冷陰極管であり、夫々のランプ２の電極にインバータ回路基板が接続され、パルス幅変調信号により明るさが制御されるように構成されている。
【００６４】
図６は第１のランプ保持部材３の構成を示すもので、(a) は側面図、(b) は正面図である。第１のランプ保持部材３は収納部材１の反射面に対向する基板３１と、ランプ２の並置方向中央側の並置間隔と等間隔で一面に突設され隣合う２本のランプ２，２の長さ方向中央部が嵌合保持される二つの第１の保持部３２，３２と、該第１の保持部３２，３２の間の中央部に突設された柱形突起３３と、前記並置間隔と等間隔で基板３１の他面に突設された二つの第１の取付部３４，３４とを有する合成樹脂製であり、一体成形されている。
【００６５】
図７は第２のランプ保持部材４の構成を示すもので、(a) は側面図、(b) は正面図である。第２のランプ保持部材４は収納部材１の反射面に対向する基板４１と、ランプ２の並置方向上側及び下側のランプ２の長さ方向中央部が嵌合保持される第２の保持部４２と、基板４１の他面に突設された第２の取付部４３とを有する合成樹脂製であり、一体成形されている。
【００６６】
第１の保持部３２及び第２の保持部４２は、ランプ２を保持する二つの保持片を有する。第１の取付部３４及び第２の取付部４３は板状の突片の先端に二つの爪部を有し、爪部が後記する第１の取付孔１３、第２の取付孔１４の孔縁部に係止される。柱形突起３３は円錐形をなし、第１の保持部３２，３２より第１の取付部３４，３４と反対方向へ延出されている。
【００６７】
ランプ収納装置を構成する収納部材１の後壁１２には図１に示すように並置方向中央部付近に位置するランプ２の間隔Ｂ，Ｂと等間隔の位置で、且つランプ２と対向する位置に、二つの第１のランプ保持部材３，３を取付けるための第１の取付孔１３がランプ２の並置方向の位置に並べて二個づつ開設されており、また、並置方向上下端の周辺部に位置するランプ２の間隔Ｃ，Ｄと等間隔の位置で、且つランプ２と対向する位置に、第２のランプ保持部材４を取付けるための第２の取付孔１４がランプ２の並置方向の位置に並べて二個開設されている。第１及び第２の取付孔１３，１４は第１及び第２のランプ保持部材３，４を取付ける取付手段と、第１及び第２のランプ保持部材３，４の取付けるべき位置を識別するための識別手段とを構成している。
【００６８】
第１の取付孔１３は丸形をなし、ランプ２の並置方向の位置に並べて二個づつ（合計四個）開設されており、第２の取付孔１４は四角形をなし、ランプ２の並置方向の位置に並べて二個（上下位置で合計四個）開設されている。また、隣合う二つの第１の取付孔１３，１３と、隣合う二つの第２の取付孔１４，１４とはランプの長さ方向に対して異なる位置に千鳥足状に配置され、第１の取付孔１３と第２の取付孔１４とはランプ２の長さ方向へ離隔しており、第１のランプ保持部材３同士の離隔距離と、第１のランプ保持部材３及び第２のランプ保持部材４間の距離とを比較的長くしてある。
【００６９】
以上のように構成されたバックライト装置において、収納部材１は並置されるランプ２を収納するランプ収納装置を構成する。バックライト装置は、図３に示すように収納部材１の第１の取付孔１３，１３に第１のランプ保持部材３の第１の取付部３４，３４が挿嵌係止され、第２の取付孔１４に第２のランプ保持部材４の第２の取付部４３が挿嵌係止され、また、収納部材１内に複数本のランプ２が上下に離隔して並置され、端部保持具を枠部１１に取付けることによりランプ２の両端部が収納部材１内に保持されるとともに、図２に示すようにランプ２の中間部が第１のランプ保持部材３の第１の保持部３２，３２及び第２のランプ保持部材４の第２の保持部４２に挿嵌保持される。
【００７０】
収納部材１の後壁１２（又は底壁）に開設されている第１の取付孔１３と第２の取付孔１４とは形状が異なり、第１の取付孔１３は丸形をなし、第２の取付孔１４は四角形をなすため、第１のランプ保持部材３を第１の取付孔１３に、第２のランプ保持部材４を第２の取付孔１４に間違えることなく挿嵌係止することができ、ランプ保持部材の組込作業性を向上できる。また、隣合う二つの第１の取付孔１３及び隣合う二つの第２の取付孔１４はランプ２の長さ方向へ離隔し、夫々千鳥足状に配置されているため、第１の取付孔１３に取付けられた第１のランプ保持部材３同士、及び第２の取付孔１４に取付けられた第２のランプ保持部材４と第１のランプ保持部材３とを夫々離隔させることができ、第１のランプ保持部材３、第２のランプ保持部材４による輝度ムラを減少することができる。また、ランプ２の並置方向上下の周辺部に、柱状突起３３を有しない第２のランプ保持部材４を配置し、ランプ２の並置方向中央部付近に、柱状突起３３を有する第１のランプ保持部材３を配置してあるため、バックライト装置が用いられる表示装置における光学シートの最も撓み易い中央部の撓みを第１のランプ保持部材３の柱状突起３３により良好に抑制することができる。
【００７１】
図８はランプの並置本数が比較的多いバックライト装置の第１のランプ保持部材及び第２のランプ保持部材の配置例を示す模式図である。このバックライト装置にあっても並置方向の中央部付近に第１のランプ保持部材３が配置され、並置方向上下の周辺部に第２のランプ保持部材４が配置されており、また、第２のランプ保持部材４は隣合う二つを１組とし、第１のランプ保持部材３とともにランプ２の長さ方向に対して千鳥足状に配置されている。
【００７２】
実施の形態２
図９はランプ収納装置を備えるバックライト装置の他の構成を示す正面図、図１０は要部を拡大した正面図、図１１はランプ保持部材と取付孔との関係を示す模式図である。このバックライト装置は、第１及び第２のランプ保持部材３，４の取付けるべき位置を識別するための識別手段として第１の取付孔１３及び第２の取付孔１４の形状を異ならせる代わりに、第１の取付孔１３をランプ２の並置方向の位置に並べて二個づつ開設し、第１の取付孔１３と上下位置で隣合う第２の取付孔１４を第１の取付孔１３とランプ２の長さ方向へ離隔した位置に開設し、さらに、前記並置方向で隣合う上下位置の第２の取付孔１４をランプ２の長さ方向へ離隔した位置に開設したものである。
【００７３】
このバックライト装置にあっては、ランプ２の並置方向の位置に並べて開設してある第１の取付孔１３を目視することにより第１のランプ保持部材３用の第１の取付孔１３であることを認識することができ、また、第１の取付孔１３に対してランプ２の長さ方向へ離隔し、且つ夫々がランプ２の長さ方向へ離隔する第２の取付孔１４を目視することにより第２のランプ保持部材４用の第２の取付孔１４であることを認識することができるため、第１のランプ保持部材３を第１の取付孔１３に、第２のランプ保持部材４を第２の取付孔１４に間違えることなく挿嵌係止することができ、ランプ保持部材の取付作業性を向上できる。また、隣合う二つの第１の取付孔１３，１３及び隣合う二つの第２の取付孔１４，１４は夫々千鳥足状に配置されているため、第１の取付孔１３に取付けられた第１のランプ保持部材３同士、及び第２の取付孔１４に取付けられた第２のランプ保持部材４と第１のランプ保持部材３とを夫々離隔させることができ、第１のランプ保持部材３、第２のランプ保持部材４による輝度ムラを減少することができる。
【００７４】
図１２はランプの並置本数が比較的多いバックライト装置の第１のランプ保持部材及び第２のランプ保持部材の配置例を示す模式図である。このバックライト装置にあっても並置方向の中央部付近に第１のランプ保持部材３が配置され、並置方向上下の周辺部に第２のランプ保持部材４が配置されており、また、第１のランプ保持部材３及び第２のランプ保持部材４はランプ２の長さ方向に対して千鳥足状に配置されている。
その他の構成及び作用は図１乃至図７のバックライト装置と同様であるため、同様の部品については同じ符号を付し、その詳細な説明及び作用効果の説明を省略する。
【００７５】
尚、本発明に係るバックライト装置は、並置方向の中央部から並置方向の両端間で全ての並置間隔が異なるランプ２を備える構成である他、複数単位で段階的に並置間隔が異なるランプ２を備える構成であってもよい。また、並置方向中央部付近に位置するランプの間隔を、並置される方向の端又は周辺部に位置するランプの間隔に比べて狭くする構成である他、並置される方向の両端又は両周辺部に位置するランプの間隔を、並置方向中央部付近に位置するランプの間隔に比べて広くする構成であってもよい。
【００７６】
また、第１及び第２のランプ保持部材は保持部の個数を異ならせることにより区別するように構成したが、その他、第１及び第２のランプ保持部材を互いに同一の色又は素材で形成し、色、素材の違いにより区別するように構成してもよい。
【００７７】
また、以上説明した実施の形態では、第１のランプ保持部材３が二つの保持部３２，３２を有し、第２のランプ保持部材４が一つの保持部４２を有し、第１及び第２のランプ保持部材３，４の保持部の差を一つとしたが、その他、第１及び第２のランプ保持部材３，４の保持部の差は二つ以上であってもよい。しかし、ランプ保持部材３の保持部３２又はランプ保持部材４の保持部４２が概ね五つ以上のランプの並置方向へ並べて配置されると、その保持部の部分に相当する局所的な輝度低下が、ランプの外側に配置される拡散板上で視認され易くなるため、各ランプ保持部材３，４の保持部３２，４２の個数は夫々四つ以下であることが好ましい。因って、四つ以下の保持部を有するランプ保持部材３，４をランプ２の長さ方向に対して異なる位置に配置（例えば、千鳥足状に配置）した場合において、収納部材１のランプの並置方向に設けられた第１の取付孔１３又は第２の取付孔１４に取付けるべきランプ保持部材３，４を生産者等が容易に認識しながら取付け作業を行うことが可能になるという格別な効果をなし得る。
【００７８】
また、この構成になぞらえ、保持部の数が奇数のランプ保持部材３，４の総数が奇数個であることにより、ランプ保持部材の保持部の数にとらわれることなく、最小限のランプ保持部材により奇数本のランプ２を保持する構成とすることができる。例えば、７本のランプ２が並置されている場合、四つの保持部３２を有する一つの第１のランプ保持部材３と、三つの保持部４２を有する一つの第２のランプ保持部材４とによりランプ２を保持することができるのであり、また、三つの保持部３２を有する二つの第１のランプ保持部材３と、一つの保持部４２を有する一つの第２のランプ保持部材４とによりランプ２を保持することができる。
【００７９】
図１３は奇数本のランプが並置されているバックライト装置の第１のランプ保持部材及び第２のランプ保持部材の配置例を示す模式図である。このバックライト装置は、並置方向の中央部から並置方向の両端間で並置間隔が異なる７本のランプ２を備え、第１及び第２のランプ保持部材３，４の取付けるべき位置を識別するための識別手段として第１の取付孔１３及び第２の取付孔１４の形状を異ならせ、さらに、第１の取付孔１３をランプ２の並置方向の位置に並べて二個づつ開設し、第１の取付孔１３と上下位置で隣合う第２の取付孔１４を第１の取付孔１３とランプ２の長さ方向へ離隔した位置に開設したものである。
【００８０】
７本のランプ２は、並置方向中央に対し上側及び下側へ至るにしたがって間隔２７．０mm、間隔２８．０mm、間隔２９．０mmに並置されている。並置方向中央に第２の取付孔１４が開設され、並置方向中央に対し上側及び下側の二つの位置に第１の取付孔１３，１３がランプ２の並置方向の位置に並べて開設され、並置方向最外側に第２の取付孔１４，１４が開設されている。
【００８１】
このバックライト装置にあっては、ランプ２の並置方向の中央と、並置方向両側とに第２の取付孔１４が開設されており、並置方向中央の両側で、第２の取付孔１４，１４の間に二つの第１の取付孔１３，１３が開設されているため、第１及び第２のランプ保持部材３，４を整合性よく取付けることができ、また、第１及び第２の取付孔１３，１４の位置を容易に視認することができ、第１及び第２のランプ保持部材３，４の取付孔への取付作業性を高めることができる。
【図面の簡単な説明】
【００８２】
【図１】本発明に係るランプ収納装置を備えるバックライト装置の構成を示す正面図である。
【図２】本発明に係るバックライト装置の要部を拡大した正面図である。
【図３】本発明に係るバックライト装置のランプ保持部材と取付孔との関係を示す模式図である。
【図４】第１のランプ保持部材の取付部の拡大断面図である。
【図５】第２のランプ保持部材の取付部の拡大断面図である。
【図６】第１のランプ保持部材の構成を示すもので、(a) は側面図、(b) は正面図である。
【図７】第２のランプ保持部材の構成を示すもので、(a) は側面図、(b) は正面図である。
【図８】ランプの並置本数が比較的多いバックライト装置の第１のランプ保持部材及び第２のランプ保持部材の配置例を示す模式図である。
【図９】本発明に係るランプ収納装置を備えるバックライト装置の他の構成を示す正面図である。
【図１０】本発明に係るバックライト装置の要部を拡大した正面図である。
【図１１】本発明に係るバックライト装置のランプ保持部材と取付孔との関係を示す模式図である。
【図１２】ランプの並置本数が比較的多いバックライト装置の第１のランプ保持部材及び第２のランプ保持部材の配置例を示す模式図である。
【図１３】奇数本のランプが並置されているバックライト装置の第１のランプ保持部材及び第２のランプ保持部材の配置例を示す模式図である。
【符号の説明】
【００８３】
１    収納部材
１３  第１の取付孔（取付手段、識別手段）
１４  第２の取付孔（取付手段、識別手段）
２    ランプ
３    第１のランプ保持部材
３２  第１の保持部
３４  第１の取付部
４    第２のランプ保持部材
４２  第２の保持部
４３  第２の取付部
【図１】
2008066285.tif 000003
【図２】
2008066285.tif 000004
【図３】
2008066285.tif 000005
【図４】
2008066285.tif 000006
【図５】
2008066285.tif 000007
【図６】
2008066285.tif 000008
【図７】
2008066285.tif 000009
【図８】
2008066285.tif 000010
【図９】
2008066285.tif 000011
【図１０】
2008066285.tif 000012
【図１１】
2008066285.tif 000013
【図１２】
2008066285.tif 000014
【図１３】
2008066285.tif 000015